(57)【要約】【課題】組立時等に転倒を防止することができるガスメータを提供する。【解決手段】ガスメータ１は、第１の部分３と、第２の部分４と、を有する筐体２を備えている。第１の部分３の底面３１は、筐体２の最下部に位置している。第２の部分４の底面４１は、第１の部分３の底面３１よりも高い位置に位置している。第２の部分４の底面４１には、突出部５が設けられている。突出部５は、底面４１から下垂しており、板状に形成されている。突出部５の最下部５１は、第１の部分３の底面３１と同一平面上に位置している。ガスメータ１を底面３１，４１が下になる向きで平らな台に載置すると、底面３１と突出部５の最下部５１とが台に接触する。【選択図】図２
0003216459.tif 000002
【実用新案登録請求の範囲】
【請求項１】
第１の部分と、第２の部分と、を有する筐体を備え、
前記第１の部分の底面が前記筐体の最下部に位置し、前記第２の部分の底面が前記第１の部分の底面よりも高い位置に位置し、
前記第２の部分の底面に突出部が設けられ、
前記突出部の最下部が、前記第１の部分の底面と同一平面上に位置している
ことを特徴とするガスメータ。
【請求項２】
前記第２の部分の底面に、前記突出部が複数設けられている
ことを特徴とする請求項１に記載のガスメータ。
【請求項３】
前記突出部が、前記第２の部分の底面に着脱可能に設けられている
ことを特徴とする請求項１又は２に記載のガスメータ。
【請求項４】
前記第１の部分は、前記筐体の背面側に位置しており、当該第１の部分の内部には、ガス流路と、ガス流量を計測する計測ユニットと、バッテリと、が設けられており、
前記第２の部分は、前記筐体の正面側に位置しているとともに前記第１の部分と隣接しており、当該第２の部分の正面には、操作部と、表示部と、が設けられている
ことを特徴とする請求項１〜３の何れか１項に記載のガスメータ。
【考案の詳細な説明】
【技術分野】
【０００１】
本考案は、ガスメータに関するものである。
【背景技術】
【０００２】
図７は、従来のガスメータの断面図である（例えば、特許文献１を参照）。図７に示すガスメータ５０１は、超音波式のガスメータであり、第１の部分５０３と、第２の部分５０４と、を有する筐体５０２を備えている。
【０００３】
第１の部分５０３は、筐体５０２の背面側に位置する部分であり、その上面５３２には、ガス流入口５１１及びガス流出口（不図示）が設けられている。第１の部分５０３の内部には、ガス流入口５１１からガス流出口へと至るガス流路５１０が設けられている。このガス流路５１０には、ガス流量を計測する計測ユニットが配置されている。
【０００４】
第２の部分５０４は、筐体５０２の正面側に位置する部分であり、第１の部分５０３と隣接している。第２の部分５０４の正面５４３には、操作部や表示部５１４等が設けられている。
【０００５】
このガスメータ５０１は、第１の部分５０３の底面５３１が筐体５０２の最下部に位置しており、第２の部分５０４の底面５４１は、第１の部分５０３の底面５３１よりも高い位置に位置している。このガスメータ５０１を底面５３１，５４１が下になる向きで平らな台に載置すると、底面５３１が台に接触し、底面５４１が台と非接触になる。
【０００６】
このように、ガスメータ５０１は、段違いに形成された底面５３１，５４１を有しているが、第１の部分５０３の奥行方向（紙面左右方向）の中央部に重心が置かれているため、底面５３１，５４１が下になる向きで、平らな台に安定的に載置することができる。よって、このガスメータ５０１を組み立てる際は、メータを安定させる治具等を組立ラインに組み込む必要はなかった。
【先行技術文献】
【特許文献】
【０００７】
【特許文献１】特開２０１７−１２９３９１号公報
【考案の概要】
【考案が解決しようとする課題】
【０００８】
上述した従来のガスメータ５０１においては、新たな機能を追加することが検討されていた。しかしながら、機能を追加した場合、重心位置が変化し、メータをベルトコンベア等に載置した際に当該メータが転倒する懸念があった。
【０００９】
そこで、本考案は、組立時等に転倒を防止することができるガスメータを提供することを目的とする。
【課題を解決するための手段】
【００１０】
本考案のガスメータは、第１の部分と、第２の部分と、を有する筐体を備え、前記第１の部分の底面が前記筐体の最下部に位置し、前記第２の部分の底面が前記第１の部分の底面よりも高い位置に位置し、前記第２の部分の底面に突出部が設けられ、前記突出部の最下部が、前記第１の部分の底面と同一平面上に位置していることを特徴とする。
【考案の効果】
【００１１】
本考案によれば、第１の部分の底面よりも高い位置に位置する第２の部分の底面に突出部が設けられ、前記突出部の最下部が、前記第１の部分の底面と同一平面上に位置しているので、組立時等に転倒を防止することができるガスメータを提供することができる。
【図面の簡単な説明】
【００１２】
【図１】本考案の第１の実施形態にかかるガスメータの正面図である。
【図２】図１のＡ−Ａ線に沿った断面図である。
【図３】図１のガスメータの底面を示す斜視図である。
【図４】本考案の第２の実施形態にかかるガスメータの正面図である。
【図５】本考案の第３の実施形態にかかるガスメータの正面図である。
【図６】図５の突出部の拡大図である。
【図７】従来のガスメータの断面図である。
【考案を実施するための形態】
【００１３】
本考案の第１の実施形態にかかる「ガスメータ」について、図１〜３を参照して説明する。図１〜３に示すガスメータ１は、図７に示す従来のガスメータ５０１を改良したものであり、第１の部分３と、第２の部分４と、を有する筐体２を備えている。
【００１４】
第１の部分３は、筐体２の背面側に位置する部分である。第１の部分３の上面３２には、ガス供給源に接続されるガス流入口１１と、燃焼器等に接続されるガス流出口１２と、が設けられている。第１の部分３の内部には、ガス流入口１１からガス流出口１２へと至るガス流路１０が設けられている。このガス流路１０には、超音波センサを用いてガス流量を計測する計測ユニットが配置されている。また、図２に示すように、第１の部分３の底面３１は、筐体２の最下部に位置している。
【００１５】
また、第１の部分３には、５本のバッテリ１５が内蔵されている。図７に示す従来のガスメータ５０１においては第１の部分５０３に３本のバッテリが内蔵されていた。これに対し、本例のガスメータ１は新たに無線通信機能が追加されており、この機能追加に応じてバッテリ１５が２本増加している。これら５本のバッテリ１５は、図２に示すように、筐体２の奥行方向（紙面左右方向）の中央部よりもやや正面側（左側）の位置に配置されている。このような機能追加等によって、本例のガスメータ１は、従来のガスメータ５０１よりも正面側に重心が置かれている。
【００１６】
第２の部分４は、筐体２の正面側に位置する部分であり、第１の部分３と隣接している。第２の部分４の正面（すなわち筐体２の正面）４３には、復帰ボタン１３（「操作部」に相当する。）や液晶表示部１４（「表示部」に相当する。）等が設けられている。また、図２に示すように、第２の部分４の底面４１は、第１の部分３の底面３１よりも高い位置に位置している。
【００１７】
第２の部分４の底面４１には、突出部５が設けられている。突出部５は、第２の部分４の幅方向（図１の紙面左右方向）の中央部かつ奥行方向（図２の紙面左右方向）の中央部に一つ設けられている。突出部５は、底面４１から下垂しており、板状に形成されている。図２に示すように、突出部５の最下部５１は、第１の部分３の底面３１と同一平面上に位置している。
【００１８】
上記ガスメータ１を底面３１，４１が下になる向きで平らな台に載置すると、底面３１と突出部５の最下部５１とが台に接触する。このように、ガスメータ１は、段違いに形成された底面３１，４１を有しているが、底面４１に突出部５が設けられていることにより、台などに載置した際に転倒し難い構造となっている。よって、工場の組立ラインにおいて、底面３１が下になる向きでガスメータ１をベルトコンベアや作業台に載置する際、メータを安定させる治具等を使用せずとも、ガスメータ１の転倒を防止できる。また、工場の組立ラインにおいて、突出部５を位置決めのために利用することもできる。
【００１９】
本考案の第２の実施形態にかかる「ガスメータ」について、図４を参照して説明する。図４において、前述した第１の実施形態と同一構成部分には同一符号を付して説明を省略する。
【００２０】
図４に示すガスメータ１０１は、第２の部分４の底面４１に、突出部５が複数設けられている。詳細には、第２の部分４の底面４１に、突出部５が３つ設けられている。これら突出部５は、第２の部分４の幅方向に沿って、間隔をあけて配置されている。各突出部５の最下部５１は、第１の部分３の底面３１と同一平面上に位置している。
【００２１】
本例のガスメータ１０１は、底面４１に突出部５が複数設けられていることにより、台などに載置した際に、より一層転倒し難い構造となっている。
【００２２】
本考案の第３の実施形態にかかる「ガスメータ」について、図５，６を参照して説明する。図５，６において、前述した第１の実施形態と同一構成部分には同一符号を付して説明を省略する。
【００２３】
図５，６に示すガスメータ２０１は、第２の部分４の底面４１に、突出部１０５が着脱可能に設けられている。突出部１０５は、第２の部分４の幅方向の中央部かつ奥行方向の中央部に一つ設けられている。
【００２４】
突出部１０５は、図６に示すように、底面４１に重ねられる板部１５２と、板部１５２から下垂した下垂部１５３と、下垂部１５３の下端から板部１５２と平行に延びた平行部１５４と、を有している。平行部１５４の最下部、すなわち突出部１０５の最下部１５１は、第１の部分３の底面３１と同一平面上に位置している。また、板部１５２には、ネジ２０が通される貫通孔が設けられている。このような突出部１０５は、板部１５２が底面４１にネジ固定されることにより、底面４１に取り付けられる。  
【００２５】
本例のガスメータ２０１は、底面４１に突出部１０５が設けられていることにより、第１の実施形態と同様に、台などに載置した際に転倒し難い構造となっている。また、本例のガスメータ２０１は、底面４１に突出部１０５が着脱可能に設けられているので、必要に応じて突出部１０５を取り付けること又は突出部１０５を取り外すことができる。また、突出部１０５がフック状に形成されているので、この突出部１０５に取扱説明書等を引掛けることもできる。
【００２６】
上述した実施形態以外に、本考案においては、以下に示す変更を加えてもよい。例えば、上述した突出部５，１０５に貫通孔を設け、この貫通孔を、取扱説明書等を取り付けるために利用してもよい。また、上述した突出部５の基端部にヒンジ構造を設けるなどして、突出部５を折り畳み収納できるようにしてもよい。
【００２７】
なお、前述した実施形態は本考案の代表的な形態を示したに過ぎず、本考案は、この実施形態に限定されるものではない。即ち、本考案の骨子を逸脱しない範囲で種々変形して実施することができる。かかる変形によってもなお本考案の構成を具備する限り、勿論、本考案の範疇に含まれるものである。
【符号の説明】
【００２８】
１，１０１，２０１  ガスメータ
２  筐体
３  第１の部分
４  第２の部分
５，１０５  突出部
３１，４１  底面
【図１】
0003216459.tif 000003
【図２】
0003216459.tif 000004
【図３】
0003216459.tif 000005
【図４】
0003216459.tif 000006
【図５】
0003216459.tif 000007
【図６】
0003216459.tif 000008
【図７】
0003216459.tif 000009